(57)【要約】【課題】部品の共用化が可能で、製造時間の短縮化も可能となるエレベータ用パネルを提供する。【解決手段】平板状パネル面の端縁部を、パネル面に対して直角を成す側面部１１ａ、この側面部１１ａに対して直角を成し、パネル面と平行な背面縁部１１ｂからなる横断面にコ字形に形成したパネル本体１１と、このパネル本体１１の裏面に一体的に設けられる補強材１２とを備えている。この補強材１２は、前記パネル面の裏面に両面テープ１５により固着され、その両端部は、パネル本体側の部材上に一体的に取り付けられている。パネル本体１１側の部材の、補強材１２の端部が取り付けられる接合部１１ｃは、この補強材１２の端部の、パネル本体１１の裏面からの高さとほぼ一致する高さに設定されている。【選択図】図１
2015067429.tif 000002
【特許請求の範囲】
【請求項１】
平板状パネルの端縁部を、そのパネル面に対して直角を成す側面部、この側面部に対して直角を成し前記パネル面と平行な背面縁部からなる横断面にコ字形に形成したパネル本体と、
このパネル本体の裏面に一体的に設けられる補強材とを備え、
この補強材は、前記パネル面の裏面に両面テープにより固着され、その両端部は、前記パネル本体側の部材上に一体的に取り付けられており、
前記パネル本体側の部材の、前記補強材の端部が取り付けられる接合部は、この補強材の端部の、前記パネル本体の裏面からの高さとほぼ一致する高さに設定されている
ことを特徴とするエレベータ用パネル。
【請求項２】
前記補強材は、前記パネル面の裏面に両面テープにより固着され、その両端部は、前記パネル本体側の部材である前記背面縁部上に一体的に取り付けられており、
前記背面縁部の、前記補強材の両端部が取り付けられる接合部は、この補強材の端部の、前記パネル本体の裏面からの高さとほぼ一致する深さにエンボス加工されている
ことを特徴とする請求項１に記載のエレベータ用パネル。
【請求項３】
前記パネル本体側の部材として、前記補強材の長さ方向と交差する方向に沿い、かつ前記パネル裏面と接合して配置され、両端部が前記パネル本体の前記背面縁部上に一体的に取り付けられる支持部材が別途設けられ、
前記補強材の一端は前記支持部材上に締結され、他端は前記パネル本体の前記背面縁部上に一体的に取り付けられ、
前記背面縁部の、前記補強材の端部及び前記支持部材の端部が取り付けられる接合部は、この補強材及び支持部材の端部の、前記パネル本体の裏面からの高さとほぼ一致する深さにエンボス加工されている
ことを特徴とする請求項１に記載のエレベータ用パネル。
【請求項４】
前記パネル本体側の部材として、前記補強材の長さ方向と交差する方向に沿い、かつ前記パネル裏面と接合して配置され、両端部が前記パネル本体の前記背面縁部上に一体的に取り付けられる支持部材が、複数本、互いに間隔を保ってほぼ平行に配置されており、前記補強材の両端部はそれぞれ前記支持部材上に締結され、
前記背面縁部の、前記支持部材の端部が取り付けられる接合部は、この支持部材の端部の、前記パネル本体の裏面からの高さとほぼ一致する深さにエンボス加工されている
ことを特徴とするエレベータ用パネル。
【請求項５】
前記両面テープに弾性を有するものを用い、加工誤差を吸収できるように構成したことを特徴とする請求項１乃至３のいずれかに記載のエレベータ用パネル。
【発明の詳細な説明】
【技術分野】
【０００１】
本発明の実施形態は、エレベータ乗りかごの内壁や、乗降口のドアなどに用いられるエレベータ用パネルに関する。
【背景技術】
【０００２】
エレベータ乗りかごの内壁や、乗降口のドアなどには、金属材によるパネルが用いられている。このエレベータ用のパネルは、パネル本体と、このパネル本体の裏面に一体的に設けられる補強材とで構成される。パネル本体は、平板状のパネル面の端縁部を、パネル面に対して直角を成す側面部、この側面部に対して直角を成し前記パネル面の裏面と平行な背面縁部からなる横断面にコ字形に形成している。このようなエレベータ用パネルの製造に関しては、補強材の取り付けに関する特許提案がある（例えば、特許文献1参照）。
【０００３】
上述したパネルは、エレベータの仕様により各種の厚さのものが用いられる。パネルの厚さとは、パネル本体の表面から背面縁部表面までの側面部の寸法を言う。補強材は、横断面がコ字形の部分を有する長尺状のもので、コ字形の横断面を形成する二脚の端部がパネル本体の裏面と接し、この二脚間の底辺部の長尺方向両端部に形成した取り付け部を、前述したパネル本体の背面縁部上に接合させ、この接合部間をリベットにより締結することで、パネル本体の裏面に一体的に取り付けている。
【０００４】
このような構造であるため、パネルの厚さがが異なると、このパネルの厚さに対応した形状の補強材を用意しなければならない。すなわち、厚さが大きいパネルの場合、厚さが小さいパネル用の補強材を用いようとしても、コ字形の横断面を形成する二脚の端部がパネル本体の裏面と接した状態では、この二脚の底辺部までの長さが足りないため、底辺部の長尺方向両端部に形成した取り付け部を、パネル本体の背面縁部上に接合させることができない。
【０００５】
このため、パネルの厚さの種類分、対応する形状の補強材を用意しなければならず、部品を共通化できなかった。
【０００６】
また、補強材をパネル本体裏面に接合する場合、これまでは接着剤を用いて接着していた。しかし、接着剤は乾くまでに時間がかかるので、製造工程上多くの時間を要する問題があった。特に、最近は組み立て機械による自動組み付けが行われる場合が多いが、乾くまでに時間を要する接着剤の使用は、自動組み付けには適さなかった。
【先行技術文献】
【特許文献】
【０００７】
【特許文献１】ＷＯ２０１３／０７６８３８公報
【発明の概要】
【発明が解決しようとする課題】
【０００８】
このように、従来のエレベータ用パネルの構造では、厚さが異なるパネルに対して、このパネルの厚さに対応した補強材をそれぞれ用意しなければならず、部品の共用化が難しかった。また製造工程中に時間を要する工程が含まれ、製造時間の短縮化が困難であった。
【０００９】
本発明が解決しようとする課題は、部品の共用化が可能で、製造時間の短縮化も可能となるエレベータ用パネルを提供することにある。
【課題を解決するための手段】
【００１０】
本発明の実施の形態に係るエレベータ用パネルは、平板状パネルの端縁部を、そのパネル面に対して直角を成す側面部、この側面部に対して直角を成し前記パネル面と平行な背面縁部からなる横断面にコ字形に形成したパネル本体と、このパネル本体の裏面に一体的に設けられる補強材とを備え、この補強材は、前記パネル面の裏面に両面テープにより固着され、その両端部は、前記パネル本体側の部材上に一体的に取り付けられており、前記パネル本体側の部材の、前記補強材の端部が取り付けられる接合部は、この補強材の端部の、前記パネル本体の裏面からの高さとほぼ一致する高さに設定されていることを特徴とする。
【図面の簡単な説明】
【００１１】
【図１】本発明の一実施形態に係るエレベータ用パネルを裏面側から示す斜視図である。
【図２】図１の上部拡大図である。
【図３】図１の下部拡大図である。
【図４】図３のＡ−Ａ矢視図に相当する補強材の締結部を示す図である。
【図５】厚さ寸法の大きなエレベータ用パネルについて、図４で示した部分に対応する部分を示す図である。
【図６】図４で示した補強材の締結部分の斜視図である。
【図７】図２で示したパネル本体の背面縁部同士の締結部を示す斜視図である。
【図８】本発明の他の実施形態に係るエレベータ用パネルを裏面側から示す斜視図である。
【図９】本発明のさらに他の実施形態に係るエレベータ用パネルを裏面側から示す斜視図である。
【発明を実施するための形態】
【００１２】
以下、本発明の実施の形態について、図面を参照して詳細に説明する。
【００１３】
図１はエレベータの乗りかごの内壁や、乗降口のドアなどに用いられパネルを裏面側から示しており、図２はその上部、図３はその下部を拡大して示している。図１で示すエレベータ用のパネルは、乗降口のドア用のもので、パネル本体１１と、このパネル本体１１の裏面に一体的に設けられる補強材１２及び補強材を兼ねる支持部材１３とで構成される。パネル本体１１は、平板状のパネル面の端縁部を、図４及び図５で示すように、横断面がコ字形となるように形成している。すなわち、パネル面に対して直角を成す側面部１１ａ、及びこの側面部１１ａに対して直角を成しパネル面と平行な背面縁部１１ｂにより、断面コ字形に形成している。なお、図４で示すパネル本体１１の、横断面コ字形の端縁部外面には、意匠上の観点から目地１５を一体的に取り付けている。
【００１４】
補強材１２は、縦方向に設けられその下端部は支持部材１３上に取り付けられている。支持部材１３は、パネル本体１１の下部に幅方向に沿って設けられている。
【００１５】
支持部材１３は、横断面がコ字形の部分を有する長尺状のもので、前述のように補強材１２の長さ方向と交差する幅方向に沿い、かつパネル本体１１の裏面と接合して配置されている。そして、その両端部は、この両端部に形成された取り付け部１３ａを介して、パネル本体１１の前述した背面縁部１１ｂに一体的に取り付けられる。また、コ字形の横断面を形成する二脚１３ｂの端部は、図３で示すように、前述のようにパネル本体１１の裏面と接している。また、この二脚１３ｂ間の底辺部１３ｃの長尺方向両端部には、前述した取り付け部１３ａが形成されている。すなわち、この取り付け部１３ａは、図４及び図６で示すように、パネル本体１１の背面縁部１１ｂに形成された接合部１１ｃ上に接合され、これらの接合部間は、リベット１４により一体的に結合される。
【００１６】
ここで、このエレベータ用パネルは、前述のように、エレベータの仕様により各種の厚さのものがある。例えば、図４で示したパネル本体１１の厚さはｔ１であるとする。これに対して図５で示すパネル本体１１の厚さは、より大きなｔ２とする。このような場合（ｔ１＜ｔ２）、大きな厚さｔ２を有する図５のパネル本体１１に、図４で示した小さな厚さｔ１のパネル本体１１用の支持部材１３を取り付けようとしても、図５で示す背面縁部１１ｃの高さが図４で示す背面縁部１１ｃの高さより高いため、従来の構造では、取り付け部１３ａを、図５のパネル本体１１の背面縁部１１ｃ上に接合させることができなかった。
【００１７】
しかし、この実施の形態では、図５で示す大きな厚さｔ２のパネル本体１１の背面縁部１１ｂの、支持部材１３の取り付け部１３ａが取り付けられる接合部１１ｃを、この取り付け部１３ａの高さ位置とほぼ一致する深さにエンボス加工する。すなわち、接合部１１ｃの深さを、この接合部１１ｃの上面が、小さな厚さｔ１のパネル部材１１用の支持部材１３の取り付け部１３ａ下面の高さ位置とほぼ一致するようにエンボス加工する。
【００１８】
このように構成することにより、図４で示した、パネル本体１１の厚さｔ１が比較的小さなパネル用の支持部材１３を、図５で示すように、パネル本体の厚さｔ２が大きなパネル本体１１に対する支持部材１３としても用いることが可能となる。すなわち、１種類の支持部材１３を用意しておけば、厚さの異なるパネル本体１１に対しても、接合部１１ｃの高さを、取り付け部１２Ａａ高さ位置に合せてエンボス加工することで適用可能となり、部品の共用化が図れる。
【００１９】
一方、補強材１２も、横断面がコ字形の部分を有する長尺状のもので、コ字形の横断面を形成する二脚１２ｂ間の底面部１２ｃの長尺方向両端部には取り付け部１２ａが形成されている。また、この補強材１２のコ字形の横断面を形成する二脚１２ｂの端部は、さらに直角に折曲され、図示のように、パネル本体１１の裏面との接合部１２ｄとなる。この接合部１２ｄとパネル本体１１の裏面との間には図４、図５で示すように、両面テープ１５が介在しており、これら両者を接着する。
【００２０】
なお、この両面テープ１５として、弾性を有するものを使用すると、その弾性により、部品加工誤差を吸収することができる。
【００２１】
図示縦方向に設けられる補強材１２の長尺方向両端部には、前述のように取り付け部１２ａが形成されており、その一方（図示下端）は、図３で示すように、前述した支持部材１３上にリベット１４で一体的に締結されている。また、他方（図示上端）は、図２で示すように、パネル本体１１の上辺部に形成された断面コ字形を構成する背面縁部１１ｂの接合部１１ｃ上にリベット１４で結合する。
【００２２】
この縦方向に設けられる補強材１２についても１種類の形状の補強材１２を用意しておけば、厚さの異なるパネル本体１１に対して共用化することができる。すなわち、図示下端の取り付け部１２ａが取り付けられる相手は支持部材１３の底面部１３ｃ上であり、パネル本体１１の厚さにかかわらず一定の取り付け高さ位置となる。また、図示上端の取り付け部１２ａはパネル本体１１の上辺の背面縁部１１ｂに形成された接合部１１ｃであるため、そのエンボス加工深さを調節することにより、常に一定の取り付け高さ位置となる。このため１種類の形状の補強材１２を厚さの異なるパネル本体１１に適用でき、共用化がはかれる。
【００２３】
なお、パネル本体１１の構造上、その端縁部である側辺部と上辺部に形成される断面コ字形部分の奥行き寸法が異ることがある。この場合、図２及び図７で示すように、それらの背面縁部１１ｂ間に隙間が生じる。従来はこの隙間にスペーサを挿入して状態で両者をリベット止していた。本実施の形態では、スペーサを用いずに、図示のように一方（側辺部）の背面縁部１１ｂの締結部分（図示上端部分）を、エンボス加工することで両者を密着させ、リベットで締結している。このようにすればスペーサを省くことができ。部品点数を少なくすることができる。
【００２４】
上記実施の形態では補強材１２の上端部をパネル本体１１の背面縁部１１ｂに形成した接合面１１ｃに取り付け、下端部を支持部材１３の底面部１３ｃ状に取り付けているが、本発明はこのような構造に限定されるものではない。例えば、図８で示すように、パネル本体１１側の部材である支持部材１３を用いずに、補強材１２の下端部を、パネル本体１１の部材である下辺の背面縁部１１ｂに形成した接合部１１ｃ取り付けてもよい。或いは、図９で示すように、支持部材１３を、複数本、互いに間隔を保ってほぼ平行に配置し、補強材１２の両端部を、それぞれ支持部材１３上に締結するように構成してもよい。
【００２５】
さらに、支持部材１３の、パネル本体１１法面との接合部に両面テープを介在させるように構成してもよい。
【００２６】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２７】
１１・・・パネル本体
１１ａ・・・側面部
１１ｂ・・・背面縁部
１２・・・補強材
１２Ａ・・・第１の部材
１２Ｂ・・・第２の部材
１５・・・両面テープ
【図１】
2015067429.tif 000003
【図２】
2015067429.tif 000004
【図３】
2015067429.tif 000005
【図４】
2015067429.tif 000006
【図５】
2015067429.tif 000007
【図６】
2015067429.tif 000008
【図７】
2015067429.tif 000009
【図８】
2015067429.tif 000010
【図９】
2015067429.tif 000011
【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
平板状パネルの端縁部を、そのパネル面に対して直角を成す側面部、この側面部に対して直角を成し前記パネル面と平行な背面縁部からなる横断面をコ字形に形成したパネル本体と、
このパネル本体の裏面に一体的に設けられる補強材と、
前記補強材の長さ方向と交差する方向に沿い、かつ前記パネル裏面と接合して配置され、両端部が前記パネル本体の前記背面縁部上に一体的に取り付けられる支持部材とを備え、
前記補強材は、前記パネル面の裏面に、弾性を有し、部品加工誤差を吸収できる両面テープにより固着され、その一端は前記支持部材上に締結され、他端は前記パネル本体の前記背面縁部上に一体的に取り付けられ、
前記背面縁部の、前記補強材の端部及び前記支持部材の端部が取り付けられる接合部は、この補強材及び支持部材の端部の、前記パネル本体の裏面からの高さとほぼ一致する深さにエンボス加工されている
ことを特徴とするエレベータ用パネル。
【請求項２】
平板状パネルの端縁部を、そのパネル面に対して直角を成す側面部、この側面部に対して直角を成し前記パネル面と平行な背面縁部からなる横断面をコ字形に形成したパネル本体と、
このパネル本体の裏面に一体的に設けられる補強材とを備え、
この補強材は、前記パネル面の裏面に、弾性を有し、部品加工誤差を吸収できる両面テープにより固着され、その両端部は、前記背面縁部上に一体的に取り付けられており、
前記背面縁部の、前記補強材の両端部が取り付けられる接合部は、この補強材の端部の、前記パネル本体の裏面からの高さとほぼ一致する深さにエンボス加工されている
ことを特徴とするエレベータ用パネル。
【請求項３】
平板状パネルの端縁部を、そのパネル面に対して直角を成す側面部、この側面部に対して直角を成し前記パネル面と平行な背面縁部からなる横断面をコ字形に形成したパネル本体と、
このパネル本体の裏面に一体的に設けられる補強材と、
前記補強材の長さ方向と交差する方向に沿い、かつ前記パネル裏面と接合して配置され、両端部が前記パネル本体の前記背面縁部上に一体的に取り付けられ、複数本、互いに間隔を保ってほぼ平行に配置されている支持部材とを備え、
前記補強材は、前記パネル面の裏面に、弾性を有し、部品加工誤差を吸収できる両面テープにより固着され、その両端部はそれぞれ前記支持部材上に締結され、前記背面縁部の、前記支持部材の端部が取り付けられる接合部は、この支持部材の端部の、前記パネル本体の裏面からの高さとほぼ一致する深さにエンボス加工されている
ことを特徴とするエレベータ用パネル。
【手続補正２】
【補正対象書類名】明細書
【補正対象項目名】００１０
【補正方法】変更
【補正の内容】
【００１０】
本発明の実施の形態に係るエレベータ用パネルは、平板状パネルの端縁部を、そのパネル面に対して直角を成す側面部、この側面部に対して直角を成し前記パネル面と平行な背面縁部からなる横断面をコ字形に形成したパネル本体と、このパネル本体の裏面に一体的に設けられる補強材と、前記補強材の長さ方向と交差する方向に沿い、かつ前記パネル裏面と接合して配置され、両端部が前記パネル本体の前記背面縁部上に一体的に取り付けられる支持部材とを備え、前記補強材は、前記パネル面の裏面に、弾性を有し、部品加工誤差を吸収できる両面テープにより固着され、その一端は前記支持部材上に締結され、他端は前記パネル本体の前記背面縁部上に一体的に取り付けられ、前記背面縁部の、前記補強材の端部及び前記支持部材の端部が取り付けられる接合部は、この補強材及び支持部材の端部の、前記パネル本体の裏面からの高さとほぼ一致する深さにエンボス加工されていることを特徴とする。